(57)【要約】【課題】花粉や微小粒子状物質といった粒子状物質から眼を保護する略完全な防塵機能を奏するめがね用防塵部材を提供することを目的とする。【解決手段】メガネのレンズ又はリムより小さい略楕円形状の周縁部を有したプラスチック樹脂又はエラストマーからなる筒状基体を有し、人の眼の外周の皮膚と当接する側の筒状基体の周縁部にエラストマーからなる皮膚当接層が連接しており、メガネ用レンズに当接する側の筒状基体の周縁部にもエラストマーからなるレンズ密着層が連接しており、前記レンズ密着層には粘着剤層が設けられている一対のめがね用防塵部材である。かかるめがね用防塵部材は、レンズ密着層及び皮膚当接層のブリッジ側が一箇所切断された切断部を有しており、端部が重なり合うように余材部分を形成することができる。【選択図】図５
2014174498.tif 000002
【特許請求の範囲】
【請求項１】
メガネ用レンズの内側に当接させて着脱自在に取り付けられる一対のめがね用防塵部材において、メガネのレンズ又はリムより小さい略楕円形状の周縁部を有したプラスチック樹脂又はエラストマーからなる筒状基体を有し、人の眼の外周の皮膚と当接する側の筒状基体の周縁部にエラストマーからなる皮膚当接層が連接しており、メガネ用レンズに当接する側の筒状基体の周縁部にもエラストマーからなるレンズ密着層が連接しており、前記レンズ密着層には粘着剤層が設けられていることを特徴とする一対のめがね用防塵部材。
【請求項２】
前記一対のめがね用防塵部材における筒状基体、レンズ密着層及び皮膚当接層のブリッジ側が一箇所切断された切断部を有し、当該切断部が切断された端部を重ね合わせて余材部分を形成することができることを特徴とする請求項１記載のめがね用防塵部材。
【請求項３】
前記エラストマーは、天然ゴム、合成天然ゴム、シリコーンゴムのいずれか一又は混合して形成され、前記粘着剤層は粘着と剥離を繰り返し行うことができるゴム系粘着剤、シリコーン系粘着剤、アクリル系粘着剤のいずれか一又は混合して形成されていることを特徴とする請求項１又は２記載のめがね用防塵部材。
【発明の詳細な説明】
【技術分野】
【０００１】
本発明は、メガネ用レンズの内側に当接させて着脱自在に取り付けられる一対のめがね用防塵部材に関し、特にめがねを装着したままの状態で、花粉等の粒子状物質から眼を保護するめがね用防塵部材に関する。
【背景技術】
【０００２】
従来より、粉塵、風除け等の防塵めがねが知られている。例えば、特許文献１及び特許文献２等が知られている。これらの文献に開示されている防塵めがねは、いずれも顔部及びめがねと取り付けた防塵部材との間に隙間が生じてしまう。
特に顔の表面形状は人によって千差万別であるため、顔部と防塵部材との間にどうしても隙間が生じてしまう。また鼻の高さ等に起因して、めがね用レンズと顔部との間の距離は人によって相違する。上述した従来の防塵めがねは、形状の変わらないプラスチック樹脂等によって形成されているため、めがねを装着した際にめがね用レンズと顔部との距離が長い人の場合、顔部と防塵部材との間に隙間が生じてしまう。一方、めがね用レンズと顔部との距離が短い人の場合、防塵部材がめがねによって顔部に過度に押し付けられることから、圧迫による不快感が生じることが知られている。いずれにせよ、現在知られている防塵めがねでは、完全な防塵ができない。
【０００３】
またゴーグル式の防塵めがねも知られているが、このようなめがねでは、視力にあわせてレンズ部分を加工する必要がある。また度付き眼鏡の上からゴーグル式の防塵めがねを装着するものも知られているが、眼鏡と防塵めがねとの接触や、違和感が生じていた。また、ゴーグルは防塵めがねが顔部に過度に押し付けられることから、圧迫による不快感も問題点として挙げられる。
【０００４】
特許文献３に開示された防塵めがねは、めがねに着脱して用いられ、隙間も生じないため優れた防塵機能を有している。この文献に開示されている防塵めがねは、花粉から眼を保護することを目的としている。しかし、この文献に開示されている防塵めがねも、着脱時にめがね用レンズと顔部との間にわずかに隙間が生じてしまう。さらに着脱自在にめがねのリムに係止して用いる事から、レンズ部分のリムの曲率によっては、防塵めがねとめがねレンズとの間にも多少の隙間が生じてしまう。このような防塵めがねによっては、花粉の侵入を防ぐ機能としては充分かもしれないが、花粉より小さい粒子の侵入については、充分とは言えない。
例えば、一般的なスギ花粉の大きさは３０〜４０μｍであるが、アレルギーを引き起こす要因にもなり得る大気汚染物質の中には１０μｍ程度のものが知られている。また近年では、ＰＭ２．５等の微小粒子状物質も問題となっており、従来以上の防塵効果が所望されている。
【先行技術文献】
【特許文献】
【０００５】
【特許文献１】特開平１０−３２８２３０号公報
【特許文献２】特開２００１−３４３６１８号公報
【特許文献３】特開２０１０−２１１１６９号公報
【発明の概要】
【発明が解決しようとする課題】
【０００６】
本発明は、現在知られている防塵めがね以上の防塵効果を得るために創作されたものであり、花粉や微小粒子状物質といった粒子状物質から眼を保護する略完全な防塵機能を奏する、めがねと着脱可能なめがね用防塵部材を提供することを目的とする。
【課題を解決するための手段】
【０００７】
本発明者は、上記課題を解決するために以下の構成を採用した。
（１）メガネ用レンズの内側に当接させて着脱自在に取り付けられる一対のめがね用防塵部材において、メガネのレンズ又はリムより小さい略楕円形状の周縁部を有したプラスチック樹脂又はエラストマーからなる筒状基体を有し、人の眼の外周の皮膚と当接する側の筒状基体の周縁部にエラストマーからなる皮膚当接層が連接しており、メガネ用レンズに当接する側の筒状基体の周縁部にもエラストマーからなるレンズ密着層が連接しており、前記レンズ密着層には粘着剤層が設けられていることを特徴とする一対のめがね用防塵部材である。
【０００８】
（２）前記一対のめがね用防塵部材における筒状基体、レンズ密着層及び皮膚当接層のブリッジ側が一箇所切断された切断部を有し、当該切断部が切断された端部を重ね合わせて余材部分を形成することができることを特徴とする上記（１）記載のめがね用防塵部材である。
（３）前記エラストマーは、天然ゴム、合成天然ゴム、シリコーンゴムのいずれか一又は混合して形成され、前記粘着剤層は粘着と剥離を繰り返し行うことができるゴム系粘着剤、シリコーン系粘着剤、アクリル系粘着剤のいずれか一又は混合して形成されていることを特徴とする上記（１）又は（２）記載のめがね用防塵部材である。
【発明の効果】
【０００９】
本発明に係るめがね用防塵部材は、めがねと着脱可能であり、かつ防塵部材とレンズ及び人の顔表面との間に隙間を生じさせず、花粉のみならず微小粒子状物質から眼を保護することができ、略完全な防塵効果を奏する。
【図面の簡単な説明】
【００１０】
【図１】本発明の実施形態１に係るめがね用防塵部材の対の一部を示す斜視図である。
【図２】図１に示しためがね用防塵部材の正面図である。
【図３】図１に示した一対のめがね用防塵部材をめがねに取りつけた使用状態を説明するための上面図である。
【図４】図１に示した一対のめがね用防塵部材をめがねに取りつけ、更に人が装着した場合の使用状態を説明するための上面図である。
【図５】図１に示した一対のめがね用防塵部材を人が装着した場合における正面図である。
【発明を実施するための形態】
【００１１】
本発明に係るめがね用防塵部材は、メガネ用レンズのフレームより小さい略楕円形状の周縁部を有した筒状基体を有している。
前記筒状基体は透明又は半透明が望ましい。このような筒状基体はプラスチック樹脂か又はエラストマーから形成される。プラスチック樹脂としては、例えば、ポリエチレンテレフタレート（ＰＥＴ）、ポリエチレンナフタレート（ＰＥＮ）、ポリブチレンテレフタレート（ＰＢＴ）等のポリエステル、ポリエチレン（ＰＥ）、ポリプロピレン（ＰＰ）等のポリオレフィン、ポリウレタン、ポリアリレート、ポリカーボネート、ポリアミド、ポリイミド、シリコーン、エチレン酢酸ビニル共重合体、ポリ塩化ビニル、ポリテトラフルオロエチレン、ポリスルホン、ナイロン、ポリ乳酸、レーヨン、アクリル等の樹脂からなるプラスチックフィルム等が挙げられる。エラストマーの具体例については後述する。
【００１２】
また本発明に係るめがね用防塵部材は、人の眼の外周の皮膚と当接する側の筒状基体の周縁部にエラストマーからなる皮膚当接層が連接している。このように筒状基体の周縁部に皮膚当接層を設けることによって、各人の顔部の形状にあわせて皮膚当接層の形状を変形し当接させることができるため、従来の防塵めがねで生じていた、隙間を略完全になくすことができる。このため、めがね用防塵部材と人の顔表面との隙間からの花粉等の侵入を抑止することができる。
さらにメガネ用レンズに当接する側の筒状基体の周縁部にもエラストマーからなるレンズ密着層が連接している。このように筒状基体の周縁部にレンズ密着層を設けることによって、レンズ表面の曲率にあわせてレンズ密着層の形状が変形するため、従来の防塵めがねとレンズとの間に生じていた隙間を完全になくすことができる。このため、花粉のみならずＰＭ２．５等の微小粒子状物質の侵入を抑止することができる、粒子状物質から眼を略完全な防御することができる。
前記エラストマーで形成された筒状基体、レンズ密着層及び皮膚当接層を形成する材料としては、天然ゴム、合成天然ゴム、ニトリルブタジエンゴム、スチレンブタジエンゴム、シリコーンゴム、ブタジエンゴム、クロロプレンアクリロゴム、ブチルゴム、エチレンポリプロピレンゴム、ウレタンゴム、フッ素ゴム、ハイパロン、塩素化ポリエチレン、アクリルゴム、エピクロロヒドリンゴム、他硫化ゴム等が挙げられる。中でも天然ゴム、合成天然ゴム、シリコーンゴムが好ましい。
【００１３】
またメガネ用レンズに当接する側の筒状基体の周縁部に設けられたレンズ密着層の当接側には、粘着剤層が設けられている。
レンズに当接する側のレンズ密着層に粘着剤層を設けることにより、レンズとの密着度を高めることができ、めがねが多少動いても筒状基体がずれることもなく、レンズと筒状基体との間からの粒子状物質の侵入を完全に防御することができる。
ここで粘着剤層を形成する材料は、特に限定されないが、例えば、天然ゴム系粘着剤、シリコーン系粘着剤、アクリル系粘着剤、合成ゴム系粘着剤、ビニルエーテル系粘着剤、ビニルエステル系粘着剤、ポリエステル系粘着剤、ウレタン系粘着剤等が挙げられる。これらの材料は、単独でまたは複数以上組み合わせて使用しても良い。特に、ゴム系粘着剤、シリコーン系粘着剤、アクリル系粘着剤が好ましい。このような材料を使用することにより、レンズと防塵部材との粘着と剥離を繰り返し行うことが可能となる。
【００１４】
粘着剤層には、必要に応じて、各種添加剤を含有させることができる。添加剤としては、例えば、可塑剤、架橋剤、粘着付与剤、酸化防止剤、耐熱安定剤、光安定剤、帯電防止剤、滑剤、核剤、難燃剤、顔料、染料、薬剤等が挙げられる。
粘着剤層の厚みとしては、粘着剤の種類によって適宜決定することができるが、好ましくは１０μｍ〜３００μｍであり、より好ましくは２０μｍ〜２００μｍｎである。粘着剤層の厚みが１０μｍ未満だと、レンズとの粘着力が不足しめがねが動いた場合に剥れるおそれがある。一方、粘着剤層の厚みが３００μｍを超えると、塵などの付着により粘着剤に汚れが生じ易くなり、髪等も付着し易くなるため妥当ではない。
本発明のめがね防塵用部材には粘着剤層が設けられているため、係止部等の特殊な部材を付加することなく、めがねや、サングラスのレンズの内側に当接密着させるとともに、着脱自在に取り付けることができる。
【００１５】
さらに、本発明に係るめがね防塵用部材は、一対のめがね用防塵部材における筒状基体、レンズ密着層及び皮膚当接層のブリッジ側が一箇所切断された切断部を有し、切断された端部が重なり合うように余材部分をもって形成されていることが好ましい。
このような構成を有することにより、リムやレンズの大きさ、形状に臨機応変に対応することができる。すなわち、レンズ等の表面積が小さい場合は、切断箇所における筒状基体等の端部の重なり合う面積を増やすことによって防塵用部材の楕円形状の周縁部の円周長さを小さくすることができる。また大きい場合は、最大切断箇所における筒状基体等の端部同士を付き合わせることによって防塵用部材の楕円形状の周縁部の円周長さを大きくすることができる。従って、本発明のめがね防塵用部材に切断部分を設けることによって、種々の大きさのレンズ等に一つの種類のめがね防塵用部材で対応することができる優れた効果を奏することになる。
ここで余材部分の長さとしては、現在市販されているレンズに適合する範囲としては、０〜３０ｍｍ、より好ましくは０〜１５ｍｍ、最も好ましくは０〜１０ｍｍである。
【００１６】
実施形態１
以下に本発明に係るめがね用防塵部材の実施形態を説明する。以下に示す具体例はあくまでも本発明の一つの実施形態を選択したものにすぎず、本発明を限定するものではない。
図１は、本発明の実施形態１に係るめがね用防塵部材の対の一部を示す斜視図である。図１に示す如く、実施形態１に係るめがね用防塵部材１は、図示しないメガネ用レンズのフレームより小さい略楕円形状の周縁部を有した筒状基体２を有している。かかる筒状基体２は、透明でかつ可撓性を有したシリコーンゴムで形成されている。なお、符号１５はめがね１１のヒンジであり、符合１２は人の耳にかけるテンプルである。
また実施形態１に係るめがね用防塵部材１は、人の眼の外周の皮膚と当接する側の筒状基体２の周縁部に皮膚当接層７が連接している。かかる皮膚当接層７は、透明でかつ可撓性を有したシリコーンゴムで形成されている。このような構成を採用することにより、各人の顔部の形状にあわせて皮膚当接層の形状が変形するため、人の顔表面とめがね用防塵部材との間に隙間が生じない。
【００１７】
図１に示す如く、メガネ用レンズに当接する側の筒状基体２の周縁部には、レンズ密着層３が連接している。かかるレンズ密着層３は、透明でかつ可撓性を有したシリコーンゴムで形成されている。このような構成を採用することにより、各種レンズ表面の曲率にあわせてレンズ密着層３の形状が変形するため、レンズとめがね用防塵部材との間に隙間を発生させない。
さらに、図示しないレンズに当接する側のレンズ密着層３の先端に粘着剤層４を設けることにより、レンズとの密着度を高めることができる。かかる粘着剤層４は、ゴム系粘着剤によって形成されている。このような構成を採用することにより、めがねが多少動いても筒状基体がずれることもなく、レンズと防塵部材１との間からの粒子状物質の侵入を完全に防御することができる。さらにレンズと防塵部材１との粘着（装着）と剥離（脱着）を繰り返し行うことができる。
【００１８】
図２は、実施形態１に係るめがね用防塵部材の正面図である。
図２に示す如く実施形態１に係るめがね防塵用部材１は、めがね用防塵部材１における筒状基体２、レンズ密着層３（先端には粘着剤層４が形成されている。）及び皮膚当接層７のブリッジ側に切断部１０が形成されている。かかる切断部１０においては、かかる端部を重なり合わすことにいおって余材部分を形成することができる。
このような構成を採用することにより、レンズ等の大きさ、形状に臨機応変に対応することができる。すなわち、レンズ等の表面積が小さい場合は、切断部１０における筒状基体等の端部の重なり合う面積を増やすことによって防塵用部材１の楕円形状の周縁部の円周長さを小さくすることができる。また大きい場合は、図２に示した如く、切断部１０における筒状基体２等の端部同士を付き合わせることによって防塵用部材１の楕円形状の周縁部の円周長さを大きくすることができる。図２において、切断部における余材部分は０ｍｍである。
【００１９】
図３は、実施形態に係る一対のめがね用防塵部材１，１をめがね１１に取りつけた使用状態を説明するための上面図である。
図３に示す如く、実施形態１に係るめがね用防塵部材１，１は、メガネ１１のメガネ用レンズのリム１６より小さい略楕円形状の周縁部を有した筒状基体２，２を有している。また実施形態１に係るめがね用防塵部材１，１は、人の眼の外周の皮膚と当接する側の筒状基体２，２の周縁部に皮膚当接層７，７が連接している。
【００２０】
また、メガネ１１のレンズに当接する側の筒状基体２，２の周縁部には、レンズ密着層３，３が連接している。このような構成を採用することにより、図３に示す如く、各種レンズ表面の曲率にあわせてレンズ密着層３，３の形状が変形するため、レンズとめがね用防塵部材１，１との間に隙間を発生させない。
また、レンズに当接する側のレンズ密着層３，３に粘着剤層４，４を設けることにより、レンズとの密着度を高めることができる。
さらに図３には示されていないが、実施形態１に係るめがね防塵用部材１，１は、めがね用防塵部材１，１における筒状基体２，２、レンズ密着層３，３及び皮膚当接層７，７のブリッジ１７側に切断部が形成されている。
【００２１】
図４は、実施形態１に示した一対のめがね用防塵部材１，１をめがね１１に取りつけ、更に人Ｐが装着した場合の使用状態を説明するための上面図である。
図４に示す如く、実施形態１に係るめがね用防塵部材１，１は、メガネ１１のメガネ用レンズのリムより小さい略楕円形状の周縁部を有した筒状基体２，２を有している。また実施形態１に係るめがね用防塵部材１，１は、人の眼の外周の皮膚と当接する側の筒状基体２，２の周縁部に皮膚当接層７，７が連接している。このような構成を採用することにより、図４は図３と比べて皮膚当接層７，７の面積が小さくなっているのが分かる。これは皮膚当接層７，７が皮膚にそって屈曲しているためである。このように筒状基体２，２の周縁部２，２に設けられている皮膚当接層７，７により、各人の顔部の形状にあわせて皮膚当接層７，７の形状が変形するため、従来の防塵めがねで生じていた、隙間を略完全になくすことができる。このため、めがね用防塵部材１，１と人の顔表面との隙間からの花粉等の侵入を抑止することができる。
【００２２】
また、メガネ１１のレンズに当接する側の筒状基体２，２の周縁部には、レンズ密着層３，３が連接している。
また、レンズに当接する側のレンズ密着層３，３に粘着剤層４，４を設けることにより、レンズとの密着度を高めることができる。
さらに図４には示されていないが、実施形態１に係るめがね防塵用部材１，１は、めがね用防塵部材１，１における筒状基体２，２、レンズ密着層３，３及び皮膚当接層７，７のブリッジ１７側に切断部が形成されている。
【００２３】
図５は、実施形態１に示した一対のめがね用防塵部材１，１を人Ｐが装着した場合における正面図である。
図５に示す如く、実施形態１に係るめがね用防塵部材１，１は、メガネ１１のメガネ用レンズ２０のリム１６より小さい略楕円形状の周縁部を有した筒状基体２，２を有しているのが分かる。また実施形態１に係るめがね用防塵部材１，１は、人の眼の外周の皮膚と当接する側の筒状基体２，２の周縁部に皮膚当接層７，７が連接している。
【００２４】
また、メガネ１１のレンズ２０に当接する側の筒状基体２，２の周縁部には、レンズ密着層が連接している。
また、レンズ２０に当接する側のレンズ密着層に粘着剤層４，４を設けることにより、レンズ２０との密着度を高めている。
さらに図５に示すように、実施形態１に係るめがね防塵用部材１，１は、めがね用防塵部材１，１における筒状基体２，２、レンズ密着層、粘着剤層４，４及び皮膚当接層７，７のブリッジ１８側に切断部１０，１０が形成されている。
このような構成を有することにより、リムやレンズの大きさ、形状に臨機応変に対応することができる。すなわち、レンズ２０等の表面積が小さい場合は、図５に示す如く、切断部１０，１０における筒状基体２，２等の端部の重なり合う面積を増やすことによって防塵用部材１，１の楕円形状の周縁部の円周長さを小さくすることができる。図５において、切断部における余材部分は５ｍｍである。
このように本実施形態１に係るめがね防塵用部材１，１に切断部１０，１０を設けることによって、種々の大きさのレンズ２０等に一つの種類のめがね防塵用部材で対応することができる優れた効果を奏することになる。
【符号の説明】
【００２５】
１    めがね用防塵部材
２    筒状基体
３    レンズ密着層
４    粘着剤層
７    皮膚当接層
１０  切断部
１１  めがね
１６  リム
２０  レンズ
Ｐ    人
【図１】
2014174498.tif 000003
【図２】
2014174498.tif 000004
【図３】
2014174498.tif 000005
【図４】
2014174498.tif 000006
【図５】
2014174498.tif 000007